(57)【要約】【課題】樹脂を主に含むインクジェット記録媒体への画像形成時の環境温度による、顔料インクの吸収性、発色性の変化の少ないインクジェット記録媒体を得ること。【解決手段】インク受容層３に顔料インク１０が到達すると、顔料インク１０に含まれる溶媒５がインク受容層３に吸収され、インク受容層３が膨潤する。このとき、顔料インク１０に含まれる溶媒５とインク受容層３に含まれる成分とが反応し発熱する。この発熱によって、インク受容層３に含まれる樹脂の高分子６間の距離がさらに広がり、顔料インク１０および顔料インク１０に含まれる溶媒５の吸収速度がさらに早まる。溶媒５の吸収速度が早まれば、顔料インク１０が流れ出したり、画像がにじんだりすることを抑制でき、インクジェット記録媒体１に形成される画像の濃度を向上させることができる。したがって、吸収性、発色性の良好なインクジェット記録媒体１を得ることができる。【選択図】図４
2009000925.tif 000002
【特許請求の範囲】
【請求項１】
インクを吸収するインク受容層を備えたインクジェット記録媒体であって、
前記インク受容層には、
樹脂と、
前記インクに含まれる溶媒と反応して発熱する成分とが含まれている
ことを特徴とするインクジェット記録媒体。
【請求項２】
請求項１に記載のインクジェット記録媒体において、
前記成分は、ポリエチレングリコールである
ことを特徴とするインクジェット記録媒体。
【請求項３】
請求項１または請求項２に記載のインクジェット記録媒体において、
前記インク受容層が、樹脂を含む透明基材に形成され、
前記インク受容層が透明である
ことを特徴とするインクジェット記録媒体。
【発明の詳細な説明】
【技術分野】
【０００１】
本発明は、インク受容層を備えたインクジェット記録媒体に関する。
【背景技術】
【０００２】
インクジェットプリンタでは、インクをノズルから噴射してインクジェット記録媒体に画像を形成する。インクは顔料または染料を使用する。また、インクには、ノズルのインク詰まり防止、インク粘度調整等のために、溶媒が含まれる。溶媒には、取り扱いの容易で安全性の高い水が広く用いられている。
一方、展示、包装用等印刷フィルムの校正用フィルムとして、透明基材に樹脂を含んだ透明なインク受容層を設けたインクジェット記録媒体が使用されている。
基材に透明インク受容層を設けたインクジェット記録シートの例として特開平７−１８６５２０があげられる（例えば特許文献１参照）。
合成樹脂フィルムからなる基材にインク受容層である受像層が設けられた記録媒体において、受像層の水性顔料インクの吸収性、乾燥性、発色性を向上させるために、受像層にカチオン性アクリルシリコンエマルション系樹脂とカチオン性ウレタン系樹脂とを含ませたものが知られている（例えば特許文献２参照）。他に、高い画像品質と同時に耐光性、耐水性、耐擦性などの画像の保存安定性に優れた記録物を高い生産性で製造するための方法として特開２００５−２１２４５８などがあげられる（例えば特許文献３参照）。
【０００３】
【特許文献１】特開平７−１８６５２０号公報
【特許文献２】特開２００６−８８３４１号公報（第３項）
【特許文献３】特開２００５−２１２４５８号公報
【発明の開示】
【発明が解決しようとする課題】
【０００４】
しかしながら、インク受容層が樹脂を含む場合、インクジェット記録媒体への画像形成時の環境温度によって、インクの吸収性、発色性が大きく変化する。具体的には、低温になると、吸収性、発色性が低下する。
【課題を解決するための手段】
【０００５】
本発明は、上述の課題の一部を解決するためになされたものであり、以下の形態または適用例として実現することが可能である。
【０００６】
［適用例１］インクを吸収するインク受容層を備えたインクジェット記録媒体であって、前記インク受容層には、樹脂と、前記インクに含まれる溶媒と反応して発熱する成分とが含まれていることを特徴とするインクジェット記録媒体。
なお、反応には、化学反応、物理反応、詳しくは水和、溶解などの反応が広く含まれる。
【０００７】
これによれば、インク受容層にインクが到達すると、インクに含まれる溶媒がインク受容層に吸収され、インク受容層が膨潤する。このとき、インクに含まれる溶媒とインク受容層に含まれる成分とが反応し発熱する。この発熱によって、インク受容層に含まれる樹脂の高分子間の距離が広がり、インクおよびインクに含まれる溶媒の吸収速度がさらに早まる。溶媒の吸収速度が早まれば、インクが流れ出したり、画像がにじんだりすることを抑制でき、結果的にインクを多量に打ち込むことができるため、インクジェット記録媒体に形成される画像の濃度を向上させることができる。したがって、吸収性、発色性の良好なインクジェット記録媒体が得られる。
【０００８】
［適用例２］上記に記載のインクジェット記録媒体において、前記成分は、ポリエチレングリコールであることを特徴とするインクジェット記録媒体。
【０００９】
これによれば、インクの溶媒としてよく用いられる水とポリエチレングリコールとの水和反応によって生じる熱量が大きいので、より吸収性、発色性の良好なインクジェット記録媒体が得られる。
【００１０】
［適用例３］上記に記載のインクジェット記録媒体において、前記インク受容層が、樹脂を含む透明基材に形成され、前記インク受容層が透明であることを特徴とするインクジェット記録媒体。
なお、ここで透明とは、使用されるインクの黒色を含む各色をインクジェット記録媒体を透過して目視で認識できることをいう。したがって、透明および半透明を含む。
【００１１】
これによれば、吸収性、発色性の良好な透明なインクジェット記録媒体が得られる。
【発明を実施するための最良の形態】
【００１２】
図１は、実施形態にかかるインクジェット記録媒体１の部分断面図である。
インクジェット記録媒体１は、基材２とインク受容層３とを備えている。
基材２としては、例えば、ポリエステル系樹脂、ジアセテート系樹脂、トリアセテート系樹脂、アクリル系樹脂、ポリカーボネート系樹脂、ポリ塩化ビニル系樹脂、ポリイミド系樹脂、セロハン、若しくはセルロイドなどの透明なフィルム等を用いることができる。
インク受容層３としては、例えば、ポリビニルアルコール、ポリビニルピロリドン、澱粉、水溶性セルロース誘導体、アクリルシリコン系樹脂等を主成分として用いることができる。
【００１３】
本実施形態では、インク受容層３にインクの溶媒と反応して発熱する成分を加える。インクの溶媒には、取り扱いの容易な水が多く用いられているので、水と反応して発熱する成分が好ましい。
例えば、アルキレングリコール、プロピレングリコール、ブチレングリコール、ベンチレングリコール、ヘキシレングリコール等のアルキレングリコール、グリセロール等の脂肪酸トリオール類、ジエチレングリコール、ジプロピレングリコール、ジエチレングリコールモノメチルエーテル、ジエチレングリコールモノエチルエーテル等のアルキレンを有するジアルキレングリコール類、およびその誘導体、ポリエチレングリコール、ポリプロピレングリコール、エチレンオキサイドおよびプロピレンオキサイド、のブロックまたはランダム共重合体等のアルキレンを有するポリアルキレンオキサイド類その誘導体、そしてエチレンオキサイドおよびプロピレンオキサイドの共重合体のブチルモノエーテル、ポリエチレンオキサイドのブチルモノエーテル、ポリ（エチレンオキサイド−プロピレンオキサイド）のグリセロールアダクト、ポリプロピレンオキサイドのグリセロールアダクト等のエーテルを有するポリアルキレンオキサイド類の１種または２種以上が用いられる。
【００１４】
水と反応して発熱する成分としては、水との水和熱が大きいポリエチレングリコールが好ましい。また、ポリエチレングリコールは、平均重合度が２００〜１０００であるのが好ましい。この範囲内であれば、単位重量当たりの水和熱発生量が極めて大きい。
インク受容層３に添加するポリエチレングリコールの量は、１重量パーセント以上が好ましい。
【００１５】
インク受容層３は、塗布、乾燥工程によって形成する。例えば、塗布液に、水と反応して発熱する成分をそのまま、あるいはエマルジョンの状態で混合し、塗布後乾燥させる。また、インク受容層３の厚さは数十μｍが好ましい。
【００１６】
図２（ａ）〜（ｄ）および図３（ａ）〜（ｂ）は、インク受容層３に、インクの溶媒と反応して発熱する成分を加えないときの、インクジェット記録媒体のインク吸収性の温度特性を評価した結果を示す図である。基材２には、ＰＥＴ（ポリエチレンテレフタレート）を用いている。
打ち込み量（いわゆるｄｕｔｙ）を変えてインクをインクジェット記録媒体１に打ち込んで、目視でインクの凝集あるいはにじみを確認し、凝集あるいはにじみの発生しない最大の打ち込み量によって吸収性を評価した。
【００１７】
サンプルとして３つの異なるサンプルを用意し、インク噴射時の温度を１３℃、２７℃、湿度を３５％、６５％と変えて評価した。また、インクの噴射は、１次色、２次色、３次色で行った。ここで、１次色の打ち込み量の最大値は通常１００％、２次色の打ち込み量の最大値は２００％、３次色の打ち込み量の最大値は３００％である。これらの値は、インクジェットプリンタの仕様により異なる。
【００１８】
図２において、（ａ）は１３℃、３５％、（ｂ）は２７℃、３５％、（ｃ）は１３℃、６５％、（ｄ）は２７℃、６５％での結果を示している。
図３に２次色を例に、湿度一定で温度が変化したときの各サンプルでの凝集あるいはにじみの発生しない最大の打ち込み量の差を（ａ）に、温度一定で湿度が変化したときの各サンプルでの凝集あるいはにじみの発生しない最大の打ち込み量の差を（ｂ）に示した。
（ａ）に示した温度変化させた結果と、（ｂ）に示した湿度変化させた結果とを比較すると、温度変化させた場合、凝集あるいはにじみの発生しない最大の打ち込み量の変化が大きいことがわかる。具体的には、２７℃から１３℃への１４℃の温度差で、凝集あるいはにじみの発生しない最大の打ち込み量として倍以上の差がある。
【００１９】
図４（ａ）および（ｂ）に、１次色と２次色について、打ち込み量と反射濃度（ＯＤ（Optical Density）値）との関係を表す図を示した。
横軸がインクの打ち込み量を表し、縦軸が反射濃度を表している。
１次色および２次色ともに、インク打ち込み量が増えると、反射濃度が向上することがわかる。
【００２０】
図５に、本実施形態のインクジェット記録媒体１のインク受容層３に、インクとしての顔料インク１０を噴射したときの模式的な概略断面図を示した。
顔料インク１０は顔料４を溶媒５に分散させたものである。溶媒５がインク受容層３に吸収されたときの様子を説明する。
顔料インク１０が噴射される前の状態を左側の図に、顔料インク１０が噴射された後の状態を右側の図に示した。
顔料インク１０が噴射される前のインク受容層３と顔料インク１０が噴射された後のインク受容層７とを比較すると、インク受容層３が溶媒５を吸収すると、インク受容層３の樹脂の高分子６間の距離が広がり膨潤する。顔料４はインク受容層７の表面付近にとどまる。
ここで、溶媒５とインク受容層３に含まれる成分が反応して発熱すると、熱運動によって高分子６間の距離がさらに広がる。
【００２１】
インク受容層３に含める溶媒５と反応して発熱する成分の量は、必要とするインク打ち込み量と単位重量当りの発熱量に応じて決めることができる。
【００２２】
本実施形態によれば、以下の効果がある。
（１）インク受容層３に顔料インク１０が到達すると、顔料インク１０に含まれる溶媒５がインク受容層３に吸収され、インク受容層３が膨潤する。このとき、顔料インク１０に含まれる溶媒５とインク受容層３に含まれる成分とが反応し発熱する。この発熱によって、インク受容層３に含まれる樹脂の高分子６間の距離がさらに広がり、顔料インク１０および顔料インク１０に含まれる溶媒５の吸収速度がさらに早まる。溶媒５の吸収速度が早まれば、顔料インク１０が流れ出したり、画像がにじんだりすることを抑制でき、結果的にインクを多量に打ち込むことができるため、インクジェット記録媒体１に形成される画像の濃度を向上させることができる。したがって、吸収性、発色性の良好なインクジェット記録媒体１を得ることができる。
【００２３】
（２）顔料インク１０の溶媒５としてよく用いられる水とポリエチレングリコールの水和反応によって生じる熱量が大きいので、より吸収性、発色性の良好なインクジェット記録媒体１を得ることができる。
【００２４】
（３）吸収性、発色性の良好な透明なインクジェット記録媒体１を得ることができる。
【００２５】
（４）溶媒５の粘度も低下し、それに伴いインク吸収速度が早まり、吸収性、発色性のより良好な透明なインクジェット記録媒体１を得ることができる。
【００２６】
（５）また熱によって溶媒５の蒸発速度が早まり、乾燥も早くなり、顔料インク１０が流れ出したり、画像がにじんだりすることをより抑制でき、インクジェット記録媒体１に形成される画像の濃度をより向上させることができる。したがって、吸収性、発色性のより良好なインクジェット記録媒体１を得ることができる。
【００２７】
なお、実施形態は上記に限定されるものではなく、その趣旨を逸脱しない限りにおいて上述したもの以外に種々の変更を行うことが可能である。
インク受容層３に含まれる成分は、インクに含まれる溶媒５と反応するものであれば水以外の溶媒であってもよい。
また、インク受容層３は複数の層であってもよい。
【図面の簡単な説明】
【００２８】
【図１】実施形態にかかるインク受容層を備えたインクジェット記録媒体の部分断面図。
【図２】インク吸収性の温度特性を評価した結果を示す図。
【図３】インク吸収性の温度特性を評価した結果を示す図。
【図４】打ち込み量と反射濃度との関係を表す図。
【図５】インク受容層に、顔料インクを噴射したときの模式的な概略断面図。
【符号の説明】
【００２９】
１…インクジェット記録媒体、２…基材、３，７…インク受容層、５…溶媒、６…樹脂を構成する高分子、１０…インクとしての顔料インク。
【図１】
2009000925.tif 000003
【図２】
2009000925.tif 000004
【図３】
2009000925.tif 000005
【図４】
2009000925.tif 000006
【図５】
2009000925.tif 000007